(57)【要約】【課題】ユーザがどのような生活状態において健康を害したかを通知して注意を促すとともに、健康を害した時に健康管理の専門家の予約をすることができる健康管理支援システムを提供する。【解決手段】情報管理サーバ３に、測定履歴ＤＢ（データベース）３８及びススケジュールＤＢ３６と、端末装置２から受信した生体情報の測定データを測定履歴ＤＢ３８へ書き込むとともに、該測定データが基準値の範囲内であるか否かを判断する測定データ管理手段３７と、端末装置２から受信したスケジュール情報をスケジュールＤＢ３６へ書き込むとともに、前記測定データが基準値の範囲外であると判断された場合に、異常値を示した測定データを計測した日時を測定履歴ＤＢ３８から読み出し、この読み出した日時から所定の期間内におけるスケジュール情報をスケジュールＤＢ３６から読み出して端末装置２へ返送するスケジュール管理手段３５とを備える。【選択図】      図１
2004234118.tif 000002
【特許請求の範囲】
【請求項１】
ユーザの端末装置と、ユーザの健康管理を支援するための情報を管理する情報管理サーバとをネットワークを介して接続してなる健康管理支援システムであって、
前記端末装置は、
ユーザの生体情報の測定データ及びスケジュール情報を前記情報管理サーバへ送信する手段と、
前記情報管理サーバから受信した情報を出力する出力手段とを備え、
前記情報管理サーバは、
ユーザの生体情報の測定データ及びスケジュール情報を記憶するデータベースと、
前記端末装置から受信した生体情報の測定データを前記データベースへ書き込むとともに、該測定データが基準値の範囲内であるか否かを判断する測定データ管理手段と、
前記端末装置から受信した前記スケジュール情報を前記データベースへ書き込むとともに、前記測定データ管理手段が前記測定データが基準値の範囲外であると判断した場合に、異常値を示した測定データを計測した日時を前記データベースから読み出し、この読み出した日時から所定の期間内におけるスケジュール情報を前記データベースから読み出して前記端末装置へ返送するスケジュール管理手段とを備える、
ことを特徴とする健康管理支援システム。
【請求項２】
さらに、健康管理の専門家の端末装置とネットワークを介して接続され、
前記データベースは、さらに、健康管理の専門家のスケジュール情報を記憶し、
前記情報管理サーバは、さらに、前記測定データ管理手段が前記測定データが基準値の範囲外であると判断した場合に、前記データベース内のユーザと健康管理の専門家のスケジュール情報とを比較し、空きが一致する日時により健康管理の専門家の予約時間を取得し、この予約時間を前記ユーザ及び健康管理専門家の端末装置へ送信する予約手段を備える、
ことを特徴とする請求項１に記載の健康管理支援システム。
【請求項３】
前記スケジュール管理手段は、前記ユーザの端末装置から受信したスケジュール情報内に健康に悪い影響を与える危険性のあるイベントが含まれている場合に、該端末装置へ警告を送信することを特徴とする請求項１又は請求項２に記載の健康管理システム。
【請求項４】
ユーザの端末装置と、ユーザの健康管理を支援するための情報を管理する情報管理サーバとをネットワークを介して接続してなる健康管理支援システムに用いられる健康管理支援方法であって、
前記端末装置が、
ユーザの生体情報の測定データ及びスケジュール情報を前記情報管理サーバへ送信し、
前記情報管理サーバが、
ユーザの生体情報の測定データ及びスケジュール情報を記憶するデータベースを用意し、
前記端末装置から受信した生体情報の測定データ及びスケジュール情報を前記データベースへ書き込み、
受信した測定データが基準値の範囲内であるか否かを判断し、基準値の範囲外であると判断した場合に、異常値を示した測定データを計測した日時を前記データベースから読み出し、この読み出した日時から所定の期間内におけるスケジュール情報を前記データベースから読み出して前記端末装置へ返送し、
前記端末装置が、
前記情報管理サーバから受信したスケジュール情報を出力する、
ことを特徴とする健康管理支援方法。
【請求項５】
ユーザの端末装置と、ユーザの健康管理を支援するための情報を管理する情報管理サーバとをネットワークを介して接続してなる健康管理支援システムに用いられる情報管理サーバであって、
ユーザの生体情報の測定データ及びスケジュール情報を記憶するデータベースと、
前記端末装置から受信した生体情報の測定データを前記データベースへ書き込むとともに、該測定データが基準値の範囲内であるか否かを判断する測定データ管理手段と、
前記端末装置から受信した前記スケジュール情報を前記データベースへ書き込むとともに、前記測定データ管理手段が前記測定データが基準値の範囲外であると判断した場合に、異常値を示した測定データを計測した日時を前記データベースから読み出し、この読み出した日時から所定の期間内におけるスケジュール情報を前記データベースから読み出して前記端末装置へ返送するスケジュール管理手段と、
を備えることを特徴とする情報管理サーバ。
【請求項６】
ユーザの端末装置と、ユーザの健康管理を支援するための情報を管理する情報管理サーバとをネットワークを介して接続してなる健康管理支援システムに用いられる情報管理サーバのコンピュータプログラムであって、
前記端末装置から受信した生体情報の測定データ及びスケジュール情報を自身の備えるデータベースへ書き込むステップと、
受信した測定データが基準値の範囲内であるか否かを判断し、基準値の範囲外であると判断した場合に、異常値を示した測定データを計測した日時を前記データベースから読み出し、この読み出した日時から所定の期間内におけるスケジュール情報を前記データベースから読み出して前記端末装置へ返送するステップと、
をコンピュータに実行させることを特徴とする情報管理サーバのコンピュータプログラム。
【発明の詳細な説明】
【０００１】
【発明の属する技術分野】
この発明は、生体情報の測定データに基づいて個人の健康管理を支援する健康管理支援システム及び方法に関する。
【０００２】
【従来の技術】
個人の健康状態を管理、あるいは、健康状態の管理を支援する従来のシステムとして、以下が開示されている。
特許文献１には、利用者が端末からサービスセンタにアクセスすることにより、生活内容や生体情報測定データ等の健康データの入力や問い合わせ等のサービスを受け、また、アドバイザはサービスセンタに登録された健康データを参照して利用者からの問い合わせに対する回答を行い、さらには、医師が端末からサービスセンタにアクセスし、利用者の健康データやアドバイザとの問い合わせ回答状況を把握する健康増進支援サービスシステムについて記載されている。
特許文献２には、端末装置から入力された利用者の健康・消費情報に基づき、健康的な生活を営むための健康や運動に関するアドバイス、運動を継続させるためのアドバイス、さらには、利用者が興味を持った対象に関する情報などを送信する健康・消費情報管理装置について記載されている。
特許文献３には、個人の健康診断データ等の健康状態情報を、通信網を介して医師、栄養士、健康器具メーカー等の専門家の端末に送信し、この健康状態情報を基に専門家が入力したアドバイス情報を、個人の端末に対して送信する健康管理支援システムについて記載されている。
特許文献４には、トイレ内で測定した蛋白等の他、体温、血圧、及び脈拍、ならびに、睡眠カプセル内で測定した体温、脈拍、及び脳波により異常の有無を判別し、異常がある場合には、これらの測定データを健康管理センター、救急医療センターなどの医療機関、さらには、必要に応じて医療機関から食材センターや給食センターに転送する健康管理システムについて記載されている。
【０００３】
【特許文献１】
特開２００２−１４９８２９号公報（段落００２２−段落００５１、第１図−第２図）
【特許文献２】
特開２００２−２９７７７５号公報（段落００２１−段落００８２、第１図−第３０図）
【特許文献３】
特開２００２−３１２４８６号公報（段落００１６−段落００３９、第１図−第９図）
【特許文献４】
特開平６−２３７９０２号公報（段落００１４−段落００２４、第１図−第５図）
【０００４】
【発明が解決しようとする課題】
上述した特許文献１〜４においては、生体情報の計測データを基にユーザの健康を管理し、健康増進のためのアドバイスを通知するものではあるが、実際にどのようなユーザの生活パターンが健康に悪い影響を与えるのかを知らせるものではなかった。また、健康を害してしまったときに、医療機関や健康管理センターなどの健康管理の専門家へ生体情報の計測データを自動的に通知するものではあったが、健康管理の専門家の診療やコンサルタントの予約を行うものではなかった。
本発明は、このような事情を考慮してなされたもので、その目的は、ユーザがどのような生活状態において健康を害したかを通知して注意を促すとともに、健康を害した時に健康管理の専門家の予約をすることができる健康管理支援システム及び健康管理支援方法を提供することにある。
【０００５】
【課題を解決するための手段】
上記目的を達成するために、本発明は、ユーザの端末装置と、ユーザの健康管理を支援するための情報を管理する情報管理サーバとをネットワークを介して接続してなる健康管理支援システムであって、前記端末装置は、ユーザの生体情報の測定データ及びスケジュール情報を前記情報管理サーバへ送信する手段と、前記情報管理サーバから受信した情報を出力する出力手段とを備え、前記情報管理サーバは、ユーザの生体情報の測定データ及びスケジュール情報を記憶するデータベースと、前記端末装置から受信した生体情報の測定データを前記データベースへ書き込むとともに、該測定データが基準値の範囲内であるか否かを判断する測定データ管理手段と、前記端末装置から受信した前記スケジュール情報を前記データベースへ書き込むとともに、前記測定データ管理手段が前記測定データが基準値の範囲外であると判断した場合に、異常値を示した測定データを計測した日時を前記データベースから読み出し、この読み出した日時から所定の期間内におけるスケジュール情報を前記データベースから読み出して前記端末装置へ返送するスケジュール管理手段とを備える、ことを特徴とする健康管理支援システムである。
上記発明によれば、ユーザの端末装置は、測定器から受信した生体情報の測定データと、内部に記憶しているスケジュール情報とを情報管理サーバへ送信し、情報管理サーバは、ユーザの端末装置から受信した測定データとスケジュール情報とを自身の備えるデータベースに記憶し、測定データが異常値を示している場合には、過去に異常値が計測されたときのスケジュール情報をユーザの端末装置へ出力する。
これにより、ユーザは自身のどのような生活状態が実際に健康に悪い影響を与える傾向があるのかを知ることができ、日常生活における健康への留意を動機付けることができる。
【０００６】
また、本発明は、上述する健康管理支援システムであって、さらに、健康管理の専門家の端末装置とネットワークを介して接続され、前記データベースは、さらに、健康管理の専門家のスケジュール情報を記憶し、前記情報管理サーバは、さらに、前記測定データ管理手段が前記測定データが基準値の範囲外であると判断した場合に、前記データベース内のユーザと健康管理の専門家のスケジュール情報とを比較し、空きが一致する日時により健康管理の専門家の予約時間を取得し、この予約時間を前記ユーザ及び健康管理専門家の端末装置へ送信する予約手段を備える、ことを特徴とする。
上記発明によれば、情報管理サーバは、ユーザの端末装置から受信した測定データが異常値を示している場合、自身の備えるデータベース内のユーザ及び健康管理の専門家のスケジュール情報を基に健康管理の専門家の予約時間を取得し、この予約時間をユーザ及び健康管理専門家の端末装置へ通知する。
これにより、ユーザが健康を害してしまった場合、早期に医療機関や健康管理センターなど健康管理の専門家の診療やコンサルタントの予約をすることができる。
【０００７】
また、本発明は、上述する健康管理支援システムであって、前記スケジュール管理手段は、前記ユーザの端末装置から受信したスケジュール情報内に健康に悪い影響を与える危険性のあるイベントが含まれている場合に、該端末装置へ警告を送信することを特徴とする。
上記発明によれば、情報管理サーバは、スケジュール情報内に健康に悪い影響を与える危険性のあるイベントがある場合に、ユーザの端末装置へ警告を表示させる。
これにより健康に悪い影響を与える危険性のあるイベントが予定されている場合に、ユーザに対して健康への留意を喚起することができる。
【０００８】
また、本発明は、ユーザの端末装置と、ユーザの健康管理を支援するための情報を管理する情報管理サーバとをネットワークを介して接続してなる健康管理支援システムに用いられる健康管理支援方法であって、前記端末装置が、ユーザの生体情報の測定データ及びスケジュール情報を前記情報管理サーバへ送信し、前記情報管理サーバが、ユーザの生体情報の測定データ及びスケジュール情報を記憶するデータベースを用意し、前記端末装置から受信した生体情報の測定データ及びスケジュール情報を前記データベースへ書き込み、受信した測定データが基準値の範囲内であるか否かを判断し、基準値の範囲外であると判断した場合に、異常値を示した測定データを計測した日時を前記データベースから読み出し、この読み出した日時から所定の期間内におけるスケジュール情報を前記データベースから読み出して前記端末装置へ返送し、前記端末装置が、前記情報管理サーバから受信したスケジュール情報を出力する、ことを特徴とする健康管理支援方法である。
上記発明によれば、ユーザの端末装置は、測定器から受信した生体情報の測定データと、内部に記憶しているスケジュール情報とを情報管理サーバへ送信し、情報管理サーバは、ユーザの端末装置から受信した測定データとスケジュール情報とを自身の備えるデータベースに記憶し、測定データが異常値を示している場合には、過去に異常値が計測されたときのスケジュール情報をユーザの端末装置へ出力する。
これにより、ユーザは自身のどのような生活状態が実際に健康に悪い影響を与える傾向があるのかを知ることができ、日常生活における健康への留意を動機付けることができる。
【０００９】
また、本発明は、ユーザの端末装置と、ユーザの健康管理を支援するための情報を管理する情報管理サーバとをネットワークを介して接続してなる健康管理支援システムに用いられる情報管理サーバであって、ユーザの生体情報の測定データ及びスケジュール情報を記憶するデータベースと、前記端末装置から受信した生体情報の測定データを前記データベースへ書き込むとともに、該測定データが基準値の範囲内であるか否かを判断する測定データ管理手段と、前記端末装置から受信した前記スケジュール情報を前記データベースへ書き込むとともに、前記測定データ管理手段が前記測定データが基準値の範囲外であると判断した場合に、異常値を示した測定データを計測した日時を前記データベースから読み出し、この読み出した日時から所定の期間内におけるスケジュール情報を前記データベースから読み出して前記端末装置へ返送するスケジュール管理手段と、を備えることを特徴とする情報管理サーバである。
上記発明によれば、情報管理サーバは、ユーザの端末装置から受信した測定データとスケジュール情報とを自身の備えるデータベースに記憶し、測定データが異常値を示している場合には、過去に異常値が計測されたときのスケジュール情報をユーザの端末装置へ出力する。
これにより、ユーザは自身のどのような生活状態が実際に健康に悪い影響を与える傾向があるのかを知ることができ、日常生活における健康への留意を動機付けることができる。
【００１０】
また、本発明は、ユーザの端末装置と、ユーザの健康管理を支援するための情報を管理する情報管理サーバとをネットワークを介して接続してなる健康管理支援システムに用いられる情報管理サーバのコンピュータプログラムであって、前記端末装置から受信した生体情報の測定データ及びスケジュール情報を自身の備えるデータベースへ書き込むステップと、受信した測定データが基準値の範囲内であるか否かを判断し、基準値の範囲外であると判断した場合に、異常値を示した測定データを計測した日時を前記データベースから読み出し、この読み出した日時から所定の期間内におけるスケジュール情報を前記データベースから読み出して前記端末装置へ返送するステップと、をコンピュータに実行させることを特徴とする情報管理サーバのコンピュータプログラムである。
上記発明によれば、情報管理サーバは、ユーザの端末装置から受信した測定データとスケジュール情報とを自身の備えるデータベースに記憶し、測定データが異常値を示している場合には、過去に異常値が計測されたときのスケジュール情報をユーザの端末装置へ出力する。
これにより、ユーザは自身のどのような生活状態が実際に健康に悪い影響を与える傾向があるのかを知ることができ、日常生活における健康への留意を動機付けることができる。
【００１１】
【発明の実施の形態】
図１は、この発明の一実施形態の健康管理支援システムの構成を示すブロック図であり、本発明と関係するブロックのみを抽出して示してある。
測定器１は、ＡＳＰ（アプリケーションサービスプロバイダ）が提供する健康管理支援サービスに加入しているユーザの生体情報を測定する。そして、測定器１は、端末装置２とケーブル、赤外線通信や無線により接続され、生体情報の測定値のデータ（以下、「測定データ」）を端末装置２へ送信する。生体情報とは、具体的には、血糖値、血圧、心電図、心拍、脈波、脳波、体温、呼吸数、体脂肪、カロリー消費量、歩数などである。なお、測定器１は、例えば、腕に巻いて装着するもの、手のひらで握れるもの、あるいは、ヘッドホンのように耳にかけられるものなど、常に人体に身につけることができるか持ち運びのできる形状が望ましい。また、手動により生体情報の測定を開始するものでもよいが、所定の時間に自動的に生体情報を測定し、測定データを端末装置２へ送信するものが望ましい。
【００１２】
端末装置２は、ユーザの保有する携帯電話、ＰＨＳ（パーソナルハンディフォン）、ＰＤＡ（Ｐｅｒｓｏｎａｌ  Ｄｉｇｉｔａｌ  Ａｓｓｉｓｔａｎｔｓ：情報携帯端末）、パーソナルコンピュータなどである。端末装置２は、制御手段２０、入力手段２１、スケジュール編集手段２２、記憶手段２３、測定データ受信手段２４、送受信手段２５、通信手段２６、及び、出力手段２７を備える。なお、端末装置２が携帯電話やＰＨＳの場合には、受話器及び送話器を制御する音声処理部（図示せず）がさらに付加される。
制御手段２０は、ＣＰＵ（ｃｅｎｔｒａｌ  ｐｒｏｃｅｓｓｉｎｇ  ｕｎｉｔ）及び各種メモリから構成され、各部の制御や、データの一時的な格納や、データの転送等を行う。
入力手段２１は、キーやボタン、マウスなどによる入力を行う。
記憶手段２３は、ユーザのスケジュール情報を記憶する。スケジュール情報は、日時及びイベント（出張、打合せ、歓迎会、新年会、結婚式、など）からなる情報である。
スケジュール編集手段２２は、入力手段２１からの入力を受け、記憶手段２３内に記憶されるスケジュール情報の編集を行う。
測定データ受信手段２４は、測定器１からユーザの測定データを受信する。
送受信手段２５は、情報管理サーバ３へ送信する情報を暗号化して通信手段２６へ受け渡し、送信を指示する。また、通信手段２６を介して情報管理サーバ３から受信した暗号化された情報を復号したり、出力手段２７へ情報管理サーバ３から受信したメッセージの出力を指示する。
通信手段２６は、インターネット網などの公衆ネットワークであるネットワークＮとのインタフェース、例えば、携帯電話網や無線インターネット網との間の無線インタフェース、あるいは、ダイヤルアップ回線やブロードバンド回線などの有線インタフェースなどを備える。そして、ネットワークＮを介して情報管理サーバ３とのデータの送受信を行う。
出力手段２７は、ＬＣＤ（Ｌｉｑｕｉｄ  Ｃｒｙｓｔａｌ  Ｄｉｓｐｌａｙ）やＣＲＴ（ｃａｔｈｏｄｅ  ｒａｙ  ｔｕｂｅ）などのディスプレイや、音声を出力するスピーカーなどである。
【００１３】
情報管理サーバ３は、健康管理支援サービスを提供するＡＳＰの保有するサーバである。情報管理サーバ３は、制御手段３０、通信手段３１、送受信手段３２、認証手段３３、会員ＤＢ（データベース）３４、スケジュール管理手段３５、スケジュールＤＢ（データベース）３６、測定データ管理手段３７、測定履歴ＤＢ（データベース）３８、及び、予約手段３９を備える。
【００１４】
会員ＤＢ３４は、ＡＳＰが提供する健康管理支援サービスの会員を管理する会員情報と、会員のホームドクターや会員の所属する企業の健康管理センター、健康に関するコンサルタントなどの医療・健康管理の専門家（以下、健康管理専門家）を管理する健康管理専門家情報とを記憶する。会員情報、及び、健康管理専門家情報は、それぞれ以下の情報からなる。
＜会員情報＞
ユーザ識別：ユーザを一意に識別する。例えば、携帯電話番号、健康管理支援サービスの会員コードなどである。
認証情報：パスワードや、バイオメトリックス情報など、ユーザを認証するための情報である。
ユーザ個人情報：ユーザの氏名、住所、生年月日、性別、電話番号、電子メールアドレスなどの情報からなる。
使用基準値：各生体情報の正常の範囲あるいは目標の範囲の上限値及び下限値を示す基準値として、医学上の標準的な値を使用するか、あるいは、カスタマイズされた値を使用するかの区別を示す。なお、カスタマイズされた値を使用する場合には、その値を示す。
健康管理専門家識別：ユーザのホームドクターや、担当のコンサルタントを識別する。異常値を示した生体情報の種別に応じてホームドクターや、コンサルタントが指定されてもよい。
＜健康管理専門家情報＞
健康管理専門家識別：健康管理専門家を一意に識別する。
健康管理専門家名称：健康管理専門家の施設名や名前を示す。
アドレス情報：電子メールアドレスなど、健康管理専門家の端末装置４のアドレスを示す。
連絡先：住所、電話番号、代表者などの情報からなる。
【００１５】
スケジュールＤＢ３６は、健康管理支援サービスの各会員のスケジュールを示す会員スケジュール、及び、各健康管理専門家のスケジュールを示す健康管理専門家スケジュールを記憶する。会員スケジュール、及び、健康管理専門家スケジュールは、それぞれ以下の情報からなる。
＜会員スケジュール＞
ユーザ識別：ユーザを一意に識別する。
スケジュール情報：日時及びイベントからなる情報である。
＜健康管理専門家スケジュール＞
健康管理専門家識別：健康管理専門家を一意に識別する。
スケジュール情報：日時及びイベントからなる情報である。イベントは、例えば、診療予約済み、昼休み、休診などの情報からなる。診療予約済みの場合、予約者のユーザ識別をさらに記憶してもよい。
【００１６】
測定履歴ＤＢ３８は、各生体情報の医学上の標準的な正常の範囲あるいは目標の範囲の上限値及び下限値からなる基準値を年齢及び男女別に記憶する標準値テーブルと、各会員の測定データの履歴を管理する測定履歴情報とを記憶する。
測定履歴情報は、以下の情報からなる。
＜測定履歴情報＞
ユーザ識別：ユーザを一意に識別する。
測定データ履歴：測定日時及び各測定データからなる情報である。
測定値推移：各測定データの履歴をグラフ化した情報である。
【００１７】
制御手段３０は、ＣＰＵ（ｃｅｎｔｒａｌ  ｐｒｏｃｅｓｓｉｎｇ  ｕｎｉｔ）及び各種メモリから構成され、各部の制御や、データの一時的な格納や、データの転送等を行う。
通信手段３１は、専用線やブロードバンド回線などによるネットワークＮとのインタフェースを備える。そして、ネットワークＮを介して端末装置２及び端末装置４との間のデータの送受信を行う。
送受信手段３２は、端末装置２から受信した暗号化された情報の復号と、端末装置２へ送信する情報の暗号化を行う。また、端末装置２あるいは端末装置４へ送信する画面情報やメッセージを生成する。
認証手段３３は、ユーザの認証を行う。
スケジュール管理手段３５は、端末装置２から受信したスケジュールをスケジュールＤＢ３６に書き込む。また、測定データが異常値を示していると測定データ管理手段３７が判断したときの測定値、あるいは、端末装置２から照会を指示された測定値と同じ値またはこの測定値より基準値と乖離した値を示したときのスケジュール情報をスケジュールＤＢ３６の会員スケジュールから読み出して送受信手段３２へ通知する。さらに、測定データが異常値を示している間、端末装置２から受信したスケジュール情報に健康に悪い影響を与える危険性のあるイベントが含まれている場合に、注意を促すメッセージを送信するよう送受信手段３２へ指示する。
測定データ管理手段３７は、端末装置２から受信した測定データ及び測定日時を基に、測定履歴ＤＢ３８内の測定履歴情報を更新する。また、基準値と比較することにより測定データがどのレベルにあるかを判断し、その結果に基づいたメッセージの送信を送受信手段３２へ指示する。さらに、測定データが異常値を示している場合には、測定履歴情報を健康管理専門家の端末装置４へ送信するよう送受信手段３２へ指示する。また、端末装置２からの照会があったとき、測定履歴ＤＢ３８内の測定履歴情報を読み出して送受信手段３２へ受け渡す。
予約手段３９は、ユーザから健康管理専門家の予約希望の通知を受け、スケジュールＤＢ３６内の会員スケジュール及び健康管理専門家スケジュールを基に予約日時を決定し、健康管理専門家の端末装置４へ通知するよう送受信手段３２へ指示する。また、健康管理専門家の端末装置４から予約の確認を受けた場合に、ユーザの端末装置２及び健康管理専門家の端末装置４へ予約が完了した旨を通知するメッセージの送信を送受信手段３２へ指示する。
【００１８】
端末装置４は、会員のホームドクターや会員の所属する企業の健康管理センター、健康に関するコンサルタントなどの健康管理専門家のパーソナルコンピュータである。端末装置４は、ブロードバンド回線などによりネットワークＮと接続され、情報管理サーバ３と通信する機能を有する。さらに、情報管理サーバ３へスケジュールや予約の確認メッセージを送信したり、情報管理サーバ３から受信した情報を表示するブラウザやメーラを備える。
【００１９】
次に、図１に示す実施の形態による健康管理支援システムの動作について説明する。
まず、ユーザは、ＡＳＰの提供する健康管理支援サービスに加入する。ＡＳＰは、情報管理サーバ３の会員ＤＢ３４へユーザの会員情報を登録する。また、ユーザは、随時端末装置２へ自身のスケジュールを登録する。すなわち、端末装置２のスケジュール編集手段２２は、入力手段２１から入力された日時とイベントからなるスケジュール情報を記憶手段２３へ書き込んだり、既に記憶手段２３に記憶されているスケジュール情報の変更を行う。
一方、健康管理専門家は、スケジュールの変更がある度に随時、端末装置４から情報管理サーバ３へスケジュール情報を送信する。情報管理サーバ３のスケジュール管理手段３５は、端末装置４から受信したスケジュール情報をスケジュールＤＢ３６内の健康管理専門家スケジュールへ書き込む。
【００２０】
図２は、図１に示す実施形態による端末装置２の測定データ送信の動作を示す図である。
端末装置２の測定データ受信手段２４は、ユーザに装着された測定器１から測定データを受信する（ステップＳ１００）。すると、送受信手段２５は、記憶手段２３が記憶しているスケジュール情報を読み出す（ステップＳ１１０）。続いて、送受信手段２５は、スケジュール情報、測定データ、測定データを受信した日時（測定日時）、及び、認証情報を暗号化する（ステップＳ１２０）。通信手段２６は、ユーザ識別と、暗号化されたスケジュール情報、測定データ、測定日時、及び、認証情報とを情報管理サーバ３へ送信する（ステップＳ１３０）。
なお、認証情報は、記憶手段２３が予め記憶している認証情報でもよいし、測定データ送信の度にユーザが入力する認証情報でもよい。また、暗号化は、例えば、共通鍵暗号方式や公開鍵暗号方式を利用する他、ＳＳＬ（Ｓｅｃｕｒｅ  Ｓｏｃｋｅｔｓ  Ｌａｙｅｒ）やＷＥＰ（Ｗｉｒｅ  Ｅｑｕｉｐｍｅｎｔ  Ｐｒｉｖａｃｙ）キーを用いた無線ＬＡＮなど、暗号化通信を用いることでもよい。また、測定日時は測定器１から受信してもよい。
【００２１】
図３は、図１に示す実施形態による情報管理サーバ３の測定データ受信の動作を示す図である。
情報管理サーバ３の送受信手段３２は、通信手段３１を介してユーザ識別と、暗号化されたスケジュール情報、測定データ、測定日時、及び、認証情報とを受けると（ステップＳ２００）、暗号化されている情報を復号する。認証手段３３は、復号された認証情報と、ユーザ識別により識別される会員情報内の認証情報を会員ＤＢ３４から読み出して比較し、ユーザを認証する。
【００２２】
認証が成功すると、スケジュール管理手段３５は、送受信手段３２が復号したスケジュール情報をスケジュールＤＢ３６内の会員スケジュールへ書き込む。一方、測定データ管理手段３７は、送受信手段３２が復号した測定日時及び測定データを、測定履歴ＤＢ３８内の測定履歴情報の測定データ履歴に書き込む（ステップＳ２１０）。
続いて、測定データ管理手段３７は、測定履歴ＤＢ３８内の測定履歴情報から測定データ履歴を読出す（ステップＳ２２０）。そして、読み出した測定データ履歴を基に各測定データの推移グラフを生成し、測定履歴ＤＢ３８内の測定履歴情報の測定値推移に書き込む（ステップＳ２３０）。例えば、血糖値のグラフであれば、縦軸の左側には血糖値、右側にＨＡ１ｃのメモリを付け、横軸には１週間の測定日時のメモリを付けたフォーマット上に、血糖値を棒グラフで、ＨｂＡ１ｃを折れ線グラフで描く。そして、基準値の上限値及び上限値の８０％の値を各々赤線及び青線で表示する。
【００２３】
さらに、測定データ管理手段３７は、受信した測定データと基準値とを比較して、測定データのレベルを判断する（ステップＳ２４０）。なお、基準値は、会員ＤＢ３４に記憶されている会員情報の使用基準値にカスタマイズされた値が記憶されていれば、その値を使用する。また、使用基準値が標準値を使用することを示していれば、会員ＤＢ３４内の会員情報から年齢及び性別を読み出し、この年齢及び性別により測定履歴ＤＢ３８内の標準値テーブルから標準的な基準値を読み出して使用する。
測定データ管理手段３７は、全ての測定データが、基準値の８０％未満であると判断した場合には、「いい調子です」という内容を表示や音声により出力するためのメッセージを編集するよう送受信手段３２へ指示する。送受信手段３２は、電子メールなどによりメッセージを編集し、通信手段３１を介して端末装置２へ送信する（ステップＳ２５０）。また、基準値の範囲の８０％外かつ基準値の上限値以下または下限値以上である測定データがあると判断した場合には、この測定データの生体情報の種別に応じて注意を流す内容を端末装置２へ送信する。例えば、「血糖値が高めです」、「少し注意が必要です」という内容のメッセージを編集し、端末装置２へ送信するよう送受信手段３２へ指示する（ステップＳ２６０）。端末装置２の出力手段２７は、情報管理サーバ３から受信したメッセージを出力する。
一方、情報管理サーバ３の測定データ管理手段３７は、ステップＳ２４０において、ある測定データが異常値を示している、すなわち、測定データが基準値の上限値より大きい、あるいは、基準値の下限値より小さいと判断した場合には、ホームドクター等健康管理専門家の予約を希望するかをユーザに問い合わせる。
【００２４】
図４は、図３の続きの動作を示す図である。
情報管理サーバ３のスケジュール管理手段３５は、異常値を示している測定データの測定値により測定履歴ＤＢ３８内の測定履歴情報の測定データ履歴を検索し、この測定値と同じ値、あるいは、この測定値より基準値と乖離した測定値が計測された日時を読み出す。続いて、読み出した日時によりスケジュールＤＢ３６内の会員スケジュールを検索し、この日時から１週間など所定の期間だけ遡った期間のスケジュール情報を読み出す。送受信手段３２は、異常値を示した測定データ、スケジュール管理手段３５が読み出したスケジュール情報、及び、ユーザにホームドクター（健康管理専門家）の予約を希望するか否かの問い合わせを出力するためのメッセージを生成して暗号化し、端末装置２へ送信する（ステップＳ３００）。なお、異常値を示している測定データの生体情報の種別に応じ、この生体情報に悪影響を及ぼす可能性あるイベントをより多く含むスケジュール情報を優先して表示させてもよい。例えば、血糖値に異常がある場合には、飲食に関わるイベントが多く含まれているスケジュールを優先して表示させる。あるいは、異常値を示している測定データにより近い値を示しているときのスケジュール情報から優先して表示させることでもよい。
さらに、測定データ管理手段３７は、会員ＤＢ３４内の会員情報から、当該ユーザの健康管理専門家識別を読出し、さらに、読み出した健康管理専門家識別により健康管理専門家情報内のアドレス情報を読み出す。そして、読み出したアドレス情報を用いて、測定履歴情報をホームドクター（健康管理専門家）の端末装置４へ送信する（ステップＳ３１０）。なお、この測定履歴情報は、暗号化して送信することが望ましい。
【００２５】
端末装置２の送受信手段２５は、情報管理サーバ３から受信したメッセージを復号し、スケジュール情報と、ホームドクター（健康管理専門家）の予約を希望するか否かを問い合わせとを出力手段２７に出力する。ユーザは、メッセージを確認し、予約を希望する場合には、予約希望の通知を情報管理サーバ３へ返送する。すなわち、端末装置２の入力手段２１がユーザからの入力を受けると、送受信手段２５は認証情報を暗号化し、情報管理サーバ３へ予約希望の通知を送信するよう通信手段２６に指示する。
情報管理サーバ３は、端末装置２から予約希望の通知を受信すると（ステップＳ３２０）、ステップＳ２００と同様の手順により認証情報の復号及び本人認証を行う（ステップＳ３３０）。そして、認証が成功すると、予約手段３９は、スケジュールＤＢ３６から会員スケジュールと健康管理専門家スケジュールのスケジュール情報を読出して比較し、３０分以上の空き時間が一致している日時から診療予約日時を得る（ステップＳ３４０）。送受信手段３２は、診療予約日時を通知するとともに、予約を受け付けたことを示す確認ボタンを表示するための画面情報を生成してホームドクター（健康管理専門家）の端末装置４へ送信する（ステップＳ３５０）。
【００２６】
ホームドクター（健康管理専門家）は、端末装置４が表示した画面情報により診療予約日時を確認し、予約を受け付けると、マウスなどにより確認ボタンを押す。これにより、端末装置４は、確認メッセージを情報管理サーバ３へ送信する。情報管理サーバ３のスケジュール管理手段３５は、確認メッセージを受信すると（ステップＳ３６０）、スケジュールＤＢ３６内の健康管理専門家スケジュールのスケジュール情報に当該時間帯が予約済みであることを書き込む。また、予約手段３９は、ユーザの端末装置２及びホームドクター（健康管理専門家）の端末装置４へ予約が完了したことを通知するメッセージを生成し、送信するよう送受信手段３２に指示する（ステップＳ３７０）。ユーザの端末装置２及びホームドクター（健康管理専門家）の端末装置４は、情報管理サーバ３から受信した予約が完了したことを通知するメッセージを受信し、出力する。
なお、情報管理サーバ３がホームドクター（健康管理専門家）の端末装置４から所定の時間内に確認メッセージが受信できなかった場合、あるいは、明示的に予約が出来ない旨のメッセージを受信した場合、予約手段３９は、予約が成立しなかった旨を通知するメッセージをユーザの端末装置２へ送信する。
また、ステップＳ３２０において、情報管理サーバ３がユーザの端末装置２から所定の時間内に予約を希望する旨の通知を受信できなかった、あるいは、明示的に予約を希望しない旨のメッセージを受信したときには、処理を終了する。
【００２７】
図５は、図１に示す実施形態による異常値検出後の情報管理サーバ３の動作を示す図である。
情報管理サーバ３は、ユーザ識別と、暗号化されたスケジュール情報、測定データ、測定日時、及び、認証情報とを受信し、図３のステップＳ２００〜Ｓ２３０と同様の動作を行う（ステップＳ４００）。そして、スケジュール管理手段３５は、復号したスケジュール情報を検索し、健康に悪い影響を与える危険性のあるイベントがあるか否かを調べる（ステップＳ４１０）。健康に悪い影響を与える危険性のあるイベントとは、例えば、歓迎会、送迎会、接待などアルコールや過多のカロリーを摂取するイベント、スポーツや出張など体力を消耗するイベント、深夜に及ぶイベントなど生活のリズムが変化するイベントなどである。そして、健康に悪い影響を与える危険性のあるイベントが検出されたときには、異常値を示した測定データに応じて体調に留意する旨を警告するメッセージを送信するよう送受信手段３２へ指示する（ステップＳ４２０）。例えば、血糖値が基準値より高い場合には、「血糖値が高いので注意しましょう」というメッセージ内容を送信する。端末装置２は、受信したメッセージを出力する。
なお、図４のステップＳ３００において読み出したスケジュール情報への出現頻度が高いイベントを抽出して記憶しておき、健康に悪い影響を与える危険性のあるイベントとして使用してもよい。また、異常値が検出されなくなった場合、あるいは、異常値が検出されなくなってから一定期間経た後に、警告メッセージの送信を停止してもよい。
【００２８】
なお、ユーザは、端末装置２から情報管理サーバ３の健康管理支援サービスのＵＲＬ（Ｕｎｉｖｅｒｓａｌ  Ｒｅｓｏｕｒｃｅ  Ｌｏｃａｔｏｒ）へアクセスしてユーザ識別及び認証情報を送信することにより、測定データ履歴及び測定値推移を見ることができる。すなわち、情報管理サーバ３の認証手段３３が、端末装置２から受信したユーザ識別及び認証情報により、ユーザの認証を行う。そして、測定データ管理手段３７は、このユーザ識別により測定履歴ＤＢ３８の測定履歴情報を検索し、測定データ履歴及び測定値推移を読み出し、過去１週間、一ヶ月、３ヶ月等の各測定データの平均値を算出する。
さらに、スケジュール管理手段３５は、最も新しい測定データの測定値により測定履歴ＤＢ３８内の測定履歴情報の測定データ履歴を検索し、この測定値と所定の誤差内の測定値、あるいは、この測定値よりさらに基準値から乖離のある測定データが計測された日時を読み出す。なお、端末装置２から直接、測定値、あるいは、日時の入力を受け、この指定された測定値、あるいは、指定された日時における測定値により測定データ履歴を検索してもよい。続いて、読み出した日時によりスケジュールＤＢ３６内の会員スケジュールを検索し、この日時から１週間など所定の期間だけ遡った期間のスケジュール情報を読み出す。
送受信手段３２は、測定データ履歴、測定値推移、過去１週間・一ヶ月・３ヶ月等の各測定データの平均値、及び、最も新しい測定データの測定値、指定された測定値、あるいは、指定された日時を基に読み出したスケジュール情報を表示するための画面情報を生成して、端末装置２へ返送する。端末装置２の出力手段２７は、受信した画面情報を表示する。
【００２９】
なお、端末装置２の送受信手段２５は、ユーザによるスケジュール情報の追加・変更が行われる度に、情報管理サーバ３へスケジュール情報を送信してもよい。情報管理サーバ３は、スケジュールＤＢ３６内へ受信したスケジュール情報を記憶するとともに、異常値検出後であれば、図５に示す動作を行う。
また、情報管理サーバ３は、直接端末装置２から、あるいは、端末装置２に接続されるパーソナルコンピュータなどの他の端末装置を介して、端末装置２の記憶手段２３内に記憶されているスケジュール情報を読み出してスケジュールＤＢ３６へ登録してもよい。
【００３０】
上記実施形態によれば、ユーザは自身のどのような生活状態が実際に健康に悪い影響を与える傾向があるのかを知ることができ、日常生活における健康への留意を動機付けることができる。また、健康を害してしまった場合、健康管理の専門家へ異常を判断する基となった生体情報の測定データを通知するとともに、早期に健康管理の専門家の診療やコンサルタントの予約をすることができる。また、健康に悪い影響を与える危険性のあるイベントが予定されている場合に、ユーザに対して健康への留意を喚起することができる。
【００３１】
なお、上述の端末装置２，４及び情報管理サーバ３は、内部にコンピュータシステムを有している。そして、上述した動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００３２】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【図１】本発明の一実施形態の構成を示すブロック図。
【図２】端末装置の測定データ送信の動作を示す図。
【図３】情報管理サーバの測定データ受信の動作を示す図。
【図４】図３の測定データ受信の動作の続きを示す図。
【図５】異常値検出後の情報管理サーバの動作を示す図。
【符号の説明】
１…測定器、  ２、４…端末装置、  ２０、３０…制御手段、  ２１…入力手段、  ２２…スケジュール編集手段、  ２３…記憶手段、  ２４…測定データ受信手段、  ２５…送受信手段、  ２６、３１…通信手段、  ２７…出力手段、  ３…情報管理サーバ、  ３２…受信手段、  ３３…認証手段、  ３４…会員ＤＢ、３５…スケジュール管理手段、  ３６…スケジュールＤＢ、  ３７…測定データ管理手段、  ３８…測定履歴ＤＢ、  ３９…予約手段
【図１】
2004234118.tif 000003
【図２】
2004234118.tif 000004
【図３】
2004234118.tif 000005
【図４】
2004234118.tif 000006
【図５】
2004234118.tif 000007